(57)【要約】【課題】ネットワークファクシミリ装置において、オフランプゲートウェイ機能による送信依頼時に容易に最適な送信を行えるようにする。【解決手段】主制御部１は、ネットワーク通信制御部１１によりネットワーク２４経由でオフランプゲートウェイ機能による送信依頼を受けると、宛先がＦＡＸ番号にて指定されている場合、上記送信依頼時に利用する回線として内線が優先設定されている場合には、通信制御部７等により、ＰＳＴＮ内線２３（内線）を利用してＧ３モードで発呼する。上記送信依頼時に利用する回線としてＰＳＴＮ（外線）が設定されている場合には、ＰＳＴＮ公衆網２２を利用してＧ３モードで発呼する。上記送信依頼時に利用する回線としてＩＳＤＮ（外線）が設定されている場合には、ＩＳＤＮ２１を利用してＧ４モードで発呼する。【選択図】　　　　図１
2004128555.tif 000002
【特許請求の範囲】
【請求項１】
内線および外線を含む複数の通信回線とローカルエリアネットワーク等のネットワークとを収容し、該ネットワーク経由で受信した情報を前記通信回線を利用してファクシミリ送信するオフランプゲートウェイ手段を有するネットワークファクシミリ装置において、
前記オフランプゲートウェイ手段が、前記ネットワーク経由で受信した情報に対して宛先を示すファクシミリ番号により配信が指示された場合に、前記複数の通信回線のうち前記外線を利用して前記ファクシミリ番号に対して発呼する発呼手段を有することを特徴とするネットワークファクシミリ装置。
【請求項２】
請求項１記載のネットワークファクシミリ装置において、
前記発呼手段が、前記外線がＩＳＤＮの場合に、Ｇ４モードで発呼する手段であることを特徴とするネットワークファクシミリ装置。
【請求項３】
内線および外線を含む複数の通信回線とローカルエリアネットワーク等のネットワークとを収容し、該ネットワーク経由で受信した情報を前記通信回線を利用してファクシミリ送信するオフランプゲートウェイ手段を有するネットワークファクシミリ装置において、
前記オフランプゲートウェイ手段が、前記ネットワーク経由で受信した情報に対して宛先を示すファクシミリ番号により配信が指示された場合に、前記複数の通信回線のうち予め設定された通信回線を利用して前記ファクシミリ番号に対して発呼する発呼手段を有し、
前記ネットワーク経由で受信した情報に対して宛先を示すファクシミリ番号により配信が指示された場合に利用する通信回線として、前記内線又は前記外線を設定する内線／外線設定手段を設けたことを特徴とするネットワークファクシミリ装置。
【請求項４】
請求項３記載のネットワークファクシミリ装置において、
前記発呼手段が、前記内線／外線設定手段により前記外線としてＩＳＤＮが設定された場合には、Ｇ４モードで発呼する手段を有することを特徴とするネットワークファクシミリ装置。
【発明の詳細な説明】
【０００１】
【発明の属する技術分野】
この発明は、ネットワークファクシミリ装置に関する。
【０００２】
【従来の技術】
ネットワークファクシミリ装置として、内線（専用線）および外線（公衆網）を含む複数の通信回線（以下単に「回線」ともいう）とローカルエリアネットワーク（ＬＡＮ）等のネットワークとを収容したものがある。
このようなネットワークファクシミリ装置では、ファクシミリ（ＦＡＸ）送信を行う場合、操作部上でオペレータによって適切な回線選択操作が行われた場合には、その操作によって選択された回線を利用して発呼処理を開始し、回線選択操作が行われなかった場合には、予め決められている優先順位にて回線を選択し、その回線を利用して発呼処理を開始するようにしている。また、Ｇ４モードを有している場合には、オペレータはＧ４を選択することも可能である。
また、このようなネットワークファクシミリ装置では、例えば特許文献１に見られるように、オフランプゲートウェイ機能（オフランプゲートウェイ手段）を有しており、ネットワーク経由で受信した情報を回線を利用してＦＡＸ送信することもできる。
【０００３】
【特許文献１】
特開２００１−２５７７９２号公報
【０００４】
【発明が解決しようとする課題】
しかしながら、上述したようなネットワークファクシミリ装置がオフランプゲートウェイ機能を利用する場合、送信依頼者がそのファクシミリ装置の近くにいるとは限らないため、そのネットワークファクシミリ装置にどのような回線が接続（収容）され、どのように回線が選択されるかを容易に知ることができず、また、回線を指定する手順もないほか、誤った回線が選択されたことを知ることさえ困難である。さらに、Ｇ４モードを有しているなどを知ることさえ困難な状況もある。
【０００５】
このため、予めワンタッチボタン等に対して登録された宛先に対する送信は、回線選択やモード選択を含めて問題なく行えるものの、ＦＡＸ番号を指定した（テンポラリ宛先への）送信は、内線が選択されている場合の外線への発信なら「０発信」が必要など、その番号指定が正しいか否かが非常に判断しにくかった。また、Ｇ４を指定する場合には、別途そのための手順が必要となり、送信者がそのＧ４またはＧ３を強く意識して操作する必要があった。
この発明は上記の点に鑑みてなされたものであり、オフランプゲートウェイ機能による送信依頼時に、よりわかりやすく容易に最適な送信を行えるようにすることを目的とする。
【０００６】
【課題を解決するための手段】
この発明は、内線および外線を含む複数の通信回線とローカルエリアネットワーク等のネットワークとを収容し、該ネットワーク経由で受信した情報を前記通信回線を利用してファクシミリ送信するオフランプゲートウェイ手段を有するネットワークファクシミリ装置において、上記の目的を達成するため、次のようにしたことを特徴とする。
【０００７】
請求項１の発明によるネットワークファクシミリ装置は、上記オフランプゲートウェイ手段に、上記ネットワーク経由で受信した情報に対して宛先を示すファクシミリ番号により配信が指示された場合に、上記複数の通信回線のうち上記外線を利用して上記ファクシミリ番号に対して発呼する発呼手段を備えたものである。
請求項２の発明によるネットワークファクシミリ装置は、請求項１のネットワークファクシミリ装置において、上記発呼手段を、上記外線がＩＳＤＮの場合に、Ｇ４モードで発呼する手段としたものである。
【０００８】
請求項３の発明によるネットワークファクシミリ装置は、上記オフランプゲートウェイ手段に、上記ネットワーク経由で受信した情報に対して宛先を示すファクシミリ番号により配信が指示された場合に、上記複数の通信回線のうち予め設定された通信回線を利用して上記ファクシミリ番号に対して発呼する発呼手段を備え、上記ネットワーク経由で受信した情報に対して宛先を示すファクシミリ番号により配信が指示された場合に利用する通信回線として、上記内線又は上記外線を設定する内線／外線設定手段を設けたものである。
請求項４の発明によるネットワークファクシミリ装置は、請求項３のネットワークファクシミリ装置において、上記発呼手段に、上記内線／外線設定手段により上記外線としてＩＳＤＮが設定された場合には、Ｇ４モードで発呼する手段を備えたものである。
【０００９】
【発明の実施の形態】
以下、この発明の実施形態を図面に基づいて具体的に説明する。
図１は、この発明を実施するネットワークファクシミリ装置の構成例を示すブロック図である。
このネットワークファクシミリ装置は、主制御部１，スキャナ２，プロッタ３，操作部４，表示部５，記憶部６，通信制御部７，ＰＳＴＮインタフェース制御部８，ＩＳＤＮインタフェース制御部９，ＤＣＲ制御部１０，およびネットワーク通信制御部１１によって構成されている。また、公衆網（外線）であるＩＳＤＮ２１，ＰＳＴＮ公衆網２２および専用線（内線）であるＰＳＴＮ内線２３を含む複数の通信回線とＬＡＮ等のネットワーク２４とを収容している。
【００１０】
主制御部１は、ＣＰＵ，ＲＯＭ，ＲＡＭ等からなるマイクロコンピュータを用い、このネットワークファクシミリ装置全体を統括的に制御するものである。
スキャナ２は、原稿の画像を読み取る画像読取手段である。
プロッタ３は、スキャナ２によって読み取られた原稿の画像情報あるいは外部から受信した画像情報や各種レポートを印刷出力する印刷手段である。
操作部４は、ユーザがアクセスする操作手段であり、ワンタッチボタンを含む各種操作ボタンを備えている。
表示部５は、このネットワークファクシミリ装置の動作状態や各種情報を表示する表示手段である。
【００１１】
記憶部６は、メモリ送信時の画像情報や各種登録情報を保存しておく記憶手段である。
通信制御部７は、公衆網（ＩＳＤＮ２１，ＰＳＴＮ公衆網２２）あるいは専用線（ＰＳＴＮ内線２３）への接続とＦＡＸ通信制御を行う通信制御手段である。ＰＳＴＮインタフェース制御部８は、ＰＳＴＮの内線（ＰＳＴＮ内線２３）／外線（ＰＳＴＮ公衆網２２）とのインタフェースを制御するＰＳＴＮインタフェース制御手段である。
ＩＳＤＮインタフェース制御部９は、ＩＳＤＮ２１とのインタフェースを制御するＩＳＤＮインタフェース制御手段である。
【００１２】
ＤＣＲ制御部１０は、送信すべき画像データの圧縮や変倍などの画像加工の制御を行うＤＣＲ制御手段である。
ネットワーク通信制御部１１は、ネットワーク２４へ接続と通信制御を行うネットワーク通信制御手段である。
ここで、主制御部１，通信制御部７，ＰＳＴＮインタフェース制御部８，ＤＣＲ制御部１０，およびネットワーク通信制御部１１により、ネットワーク２４経由で受信した情報（文書等）を通信回線を利用してＦＡＸ送信するオフランプゲートウェイ機能（オフランプゲートウェイ手段としての機能）を実現する。また、主制御部１および操作部４により、内線／外線設定機能（内線／外線設定手段としての機能）を実現する。
【００１３】
以下、このネットワークファクシミリ装置におけるこの発明に係わる制御について、図２を参照して説明する。
図２は、このネットワークファクシミリ装置におけるこの発明に係わる制御の一例を示すフローチャートである。
このネットワークファクシミリ装置の主制御部１は、まずネットワーク通信制御部１１によりネットワーク２４経由でオフランプゲートウェイ機能によるＦＡＸ送信の要求（送信依頼）を受けたとき、つまりネットワーク２４経由で受信した情報に対して配信が指示されたとき（ステップＳ１）、宛先がワンタッチボタン等にてワンタッチ指定されているか否か（ＦＡＸ番号にて指定されている）をチェックし（ステップＳ２）、ワンタッチ指定されている場合にはワンタッチボタン等に対してワンタッチ登録されている回線と通信モードを選択し（ステップＳ７）、対応する通信制御部等により、その回線を利用してその通信モードでワンタッチ登録されている宛先を示すＦＡＸ番号に対して発呼して通信処理を開始する（ステップＳ６）。
【００１４】
宛先がＦＡＸ番号にて指定されている場合には、オフランプゲートウェイ機能による送信依頼時に利用する回線（ネットワーク２４経由で受信した情報に対して宛先を示すファクシミリ番号により配信が指示された場合に利用する通信回線）として内線が優先設定されているか否かをチェックし（ステップＳ３）、内線が優先設定されている場合にはＰＳＴＮ内線２３（内線）とＧ３モードを選択し（ステップＳ８）、通信制御部７およびＰＳＴＮインタフェース制御部８により、ＰＳＴＮ内線２３を利用してＧ３モード（Ｇ３手順）で指定された宛先を示すＦＡＸ番号に対して発呼して通信処理を開始する（ステップＳ６）。
【００１５】
オフランプゲートウェイ機能による送信依頼時に利用する回線として外線が設定され、その外線がＰＳＴＮの場合には（ステップＳ４）、ＰＳＴＮ公衆網（ＰＳＴＮ外線）２２とＧ３モードを選択し（ステップＳ９）、通信制御部７およびＰＳＴＮインタフェース制御部８により、ＰＳＴＮ公衆網２２を利用してＧ３モードで指定された宛先を示すＦＡＸ番号に対して発呼して通信処理を開始する（ステップＳ６）。
【００１６】
オフランプゲートウェイ機能による送信依頼時に利用する回線として外線が設定され、その外線がＩＳＤＮの場合には（ステップＳ４）、ＩＳＤＮ２１とＧ４モードを選択し（ステップＳ５）、通信制御部７およびＩＳＤＮインタフェース制御部９により、ＩＳＤＮ２１を利用してＧ４モード（Ｇ４手順）で指定された宛先を示すＦＡＸ番号に対して発呼して通信処理を開始する（ステップＳ６）。なお、Ｇ４モードでの発呼による接続が失敗した場合には、Ｇ３モードに切り替えて発呼することもできる。
【００１７】
この実施形態によれば、オフランプゲートウェイ機能による送信依頼時に、よりわかりやすく容易に最適な送信を行う（例えば外線としてＩＳＤＮ２１が設定された場合にはＧ４モードで発呼する）ことができる。また、様々なネットワーク環境および回線環境に対応できる。
なお、デフォルト時には、オフランプゲートウェイ機能による送信依頼時に、常に外線（ＰＳＴＮ公衆網２２又はＩＳＤＮ２１）を利用して発呼するようにすることもできる。このとき、外線としてＩＳＤＮ２１を利用する場合には、Ｇ４モードで発呼する。
また、オフランプゲートウェイ機能による送信依頼時に利用する回線として外線あるいは内線（ＰＳＴＮ内線２３）を操作部４上のボタン（内部スイッチ）の操作によって予め設定して記憶部６に記憶しておくこともできる。
【００１８】
【発明の効果】
以上説明してきたように、この発明によれば、オフランプゲートウェイ機能による送信依頼時に、よりわかりやすく容易に最適な送信を行うことができる。
【図面の簡単な説明】
【図１】この発明を実施するネットワークファクシミリ装置の構成例を示すブロック図である。
【図２】図１のネットワークファクシミリ装置におけるこの発明に係わる制御の一例を示すフロー図である。
【符号の説明】
１：主制御部　　　２：スキャナ
３：プロッタ　　　４：操作部
５：表示部　　　　６：記憶部
７：通信制御部　　８：ＰＳＴＮインタフェース制御部
９：ＩＳＤＮインタフェース制御部
１０：ＤＣＲ制御部　１１：ネットワーク通信制御部
２１：ＩＳＤＮ　　　２２：ＰＳＴＮ公衆網
２３：ＰＳＴＮ内線　２４：ネットワーク
【図１】
2004128555.tif 000003
【図２】
2004128555.tif 000004